(57)【要約】【課題】ユーザが携帯通信端末を操作することでユーザの希望する広告情報を表示させると共に、広告情報の表示内容をユーザ主導にて適応的に変更可能とする。【解決手段】携帯電話機１０を広告情報表示装置３０のＩＣカードリーダ／ライタ３１に近付け非接触型ＩＣ通信の送信操作を行うと、好みのジャンルが設定された表示希望情報がＩＣカード１１からＩＣカードリーダ／ライタ３１へ送信される。広告情報表示装置３０は、ＩＣカードリーダ／ライタ３１にて受信した表示希望情報で、内部の記憶媒体に記憶している最新の広告情報の中から対応する広告情報を検索してその画面３２に表示する。これにより、元々は固定した広告情報のみしか提示されていなかった広告情報提示場所に設置された広告情報表示装置３０により、携帯電話機１０のユーザが興味ある広告情報を表示させることができる。【選択図】図１
2010060898.tif 000002
【特許請求の範囲】
【請求項１】
非接触通信の第１の送受信手段と、その第１の送受信手段を用いて所望の広告情報の表示の要求を送信する広告情報表示要求手段とを備える携帯通信端末と、
広告情報提示場所に設置されており、前記携帯通信端末から送信された前記広告情報の表示の要求を受信する前記非接触通信の第２の送受信手段と、検索用広告情報を記憶する記憶手段と、前記第２の送受信手段により受信した前記広告情報の表示の要求に応じた広告情報を前記記憶手段に記憶されている前記検索用広告情報の中から検索して表示する検索表示手段とを備える表示装置と
を有することを特徴とする広告表示システム。
【請求項２】
非接触通信の第１の送受信手段と、その第１の送受信手段を用いて所望の広告情報の表示の要求を送信する広告情報表示要求手段とを備える携帯通信端末と、
広告情報提示場所に設置されており、前記携帯通信端末から送信された前記広告情報の表示の要求を受信する前記非接触通信の第２の送受信手段と、検索用広告情報を記憶する記憶手段と、前記第２の送受信手段により受信した前記広告情報の表示の要求に応じた広告情報を前記記憶手段に記憶されている前記検索用広告情報の中から検索して表示する検索表示手段と、無線通信手段とを備える表示装置と、
前記表示装置に対して前記検索用広告情報を無線通信により配信して前記表示装置の前記無線通信手段により受信させ、前記記憶手段に記憶させる配信情報管理サーバと
を有することを広告表示システム。
【請求項３】
前記表示装置は、表示した広告情報を前記無線通信手段を用いて前記配信情報管理サーバへ送信する広告情報送信手段を更に有し、
前記配信情報管理サーバは、前記表示装置から送信された前記表示した広告情報を受信し、受信した前記表示した広告情報を蓄積及び解析する広告情報解析手段を更に有することを特徴とする請求項２記載の広告表示システム。
【請求項４】
前記携帯通信端末は、
前記表示装置にて表示中の広告情報の配信を前記第１の送受信手段を用いて要求する広告情報要求手段と、
前記第１の送受信手段により受信された前記表示装置からの前記表示中の広告情報を記憶する広告情報記憶手段とを更に有し、
前記表示装置は、
前記携帯通信端末から送信された前記表示中の広告情報の配信要求を前記第２の送受信手段により受信したときは、現在表示中の広告情報を前記第２の送受信手段を用いて要求元の前記携帯通信端末へ送信する表示中広告情報送信手段を更に有することを特徴とする請求項１又は２記載の広告表示システム。
【請求項５】
前記表示装置は、表示中の広告情報を前記無線通信手段を用いて前記配信情報管理サーバへ送信する表示中広告情報送信手段を更に有し、
前記配信情報管理サーバは、前記表示装置から送信された前記表示中広告情報を受信し、受信した前記表示中広告情報を蓄積及び解析する表示中広告情報解析手段を更に有することを特徴とする請求項４記載の広告表示システム。
【請求項６】
前記携帯通信端末は、前記広告情報記憶手段に記憶した前記表示中の広告情報に関連した情報を、通信ネットワークを通して取得する通信手段を更に有することを特徴とする請求項４又は５記載の広告表示システム。
【請求項７】
前記第１の送受信手段はＩＣカードであり、前記第２の送受信手段はＩＣカードリーダ／ライタであることを特徴とする請求項１乃至６のうちいずれか一項記載の広告表示システム。
【請求項８】
携帯通信端末から所望の広告情報の表示要求を非接触型通信により送信する第１のステップと、
広告情報提示場所に設置された表示装置が前記広告情報の表示要求を非接触型通信により受信する第２のステップと、
前記表示装置が受信した前記広告情報に応じた広告情報を記憶手段から検索して表示する第３のステップと
を含むことを特徴とする広告表示方法。
【請求項９】
携帯通信端末から所望の広告情報の表示要求を非接触型通信により送信する第１のステップと、
広告情報提示場所に設置された表示装置が前記広告情報の表示要求を非接触型通信により受信する第２のステップと、
前記表示装置が受信した前記広告情報の表示要求に応じた広告情報を記憶手段に記憶されている検索用記憶情報の中から検索して表示する第３のステップと、
前記表示装置に対して前記検索用広告情報を無線通信により配信して前記表示装置の前記無線通信手段により受信させ、前記記憶手段に記憶させる第４のステップと
を含むことを特徴とする広告表示方法。
【請求項１０】
前記表示した広告情報を前記表示装置が無線送信する第５のステップと、
無線送信された前記表示した広告情報を受信する第６のステップと、
受信した前記表示した広告情報を蓄積及び解析する第７のステップと
を更に含むことを特徴とする請求項９記載の広告表示方法。
【請求項１１】
前記表示装置にて表示中の広告情報の配信を前記携帯通信端末から非接触型通信により要求する広告情報配信要求ステップと、
前記表示中の広告情報の配信要求を前記非接触型通信により受信した前記表示装置が、現在表示中の広告情報を前記携帯通信端末へ前記非接触型通信により応答送信する表示中広告情報送信ステップと、
前記現在表示中の広告情報を前記携帯通信端末が前記非接触型通信により受信する受信ステップと、
前記受信ステップで受信した前記現在表示中の広告情報を前記携帯通信端末の記憶手段に記憶する記憶ステップと
更に含むことを特徴とする請求項８又は９記載の広告表示方法。
【請求項１２】
表示中の広告情報を無線送信する表示中広告情報送信ステップと、
前記表示中広告情報を無線通信にて受信する表示中広告情報受信ステップと、
受信した前記表示中広告情報を蓄積及び解析する表示中広告情報解析ステップと
を更に含むことを特徴とする請求項１１記載の広告表示方法。
【請求項１３】
前記携帯通信端末が、前記広告情報記憶手段に記憶した前記表示中の広告情報に関連した情報を、通信ネットワークを通して取得する情報取得ステップを更に含むことを特徴とする請求項１１又は１２記載の広告表示方法。
【請求項１４】
前記非接触型通信は、携帯通信端末に内蔵されたＩＣカードと、前記表示装置に設けられたＩＣカードリーダ／ライタとの間で行われることを特徴とする請求項８乃至１３のうちいずれか一項記載の広告表示方法。
【請求項１５】
非接触通信の送受信手段と、
広告情報提示場所に設置された表示装置に対して、前記送受信手段を用いて所望の広告情報の表示の要求を送信する広告情報表示要求手段と
を有することを特徴とする携帯通信端末。
【請求項１６】
前記表示装置にて表示中の広告情報の配信を、前記送受信手段を用いて要求する広告情報要求手段と、
前記送受信手段により受信された前記表示装置からの前記表示中の広告情報を記憶する広告情報記憶手段と
を更に有することを特徴とする請求項１５記載の携帯通信端末。
【請求項１７】
前記広告情報記憶手段に記憶した前記表示中の広告情報に関連した情報を、通信ネットワークを通して取得する通信手段を更に有することを特徴とする請求項１６記載の携帯通信端末。
【請求項１８】
広告情報提示場所に設置された表示装置のコンピュータに、
携帯通信端末から送信された所望の広告情報の表示要求を非接触型通信の送受信手段により受信させる第１のステップと、
受信した前記広告情報の表示要求に応じた広告情報を記憶手段から検索して表示する第２のステップと
を実行させることを特徴とする広告表示用プログラム。
【請求項１９】
広告情報提示場所に設置された表示装置のコンピュータに、
携帯通信端末から送信された所望の広告情報の表示要求を非接触型通信の送受信手段により受信させる第１のステップと、
受信した前記広告情報の表示要求に応じた広告情報を記憶手段に記憶されている検索用広告情報の中から検索して表示する第２のステップと、
無線通信により配信情報管理サーバから配信された前記検索用広告情報を無線通信手段により受信させる第３のステップと、
前記第３のステップで受信した前記検索用広告情報を前記記憶手段に記憶する第４のステップと
を実行させることを特徴とする広告表示用プログラム。
【請求項２０】
前記コンピュータに、前記配信情報管理サーバに対して、前記第２のステップで表示した前記広告情報を前記無線通信手段を用いて前記配信情報管理サーバへ無線送信する第５のステップを更に実行させることを特徴とする請求項１９記載の広告表示用プログラム。
【請求項２１】
前記コンピュータに、前記携帯通信端末から送信された表示中の広告情報の配信要求を非接触型通信の送受信手段が受信したときは、現在表示中の広告情報を前記送受信手段を用いて要求元の前記携帯通信端末へ送信する第６のステップを更に実行させることを特徴する請求項１９又は２０記載の広告表示用プログラム。
【請求項２２】
前記コンピュータに、前記配信情報管理サーバに対して、前記第６のステップで前記携帯通信端末へ送信した前記現在表示中の広告情報を、前記無線通信手段を用いて前記配信情報管理サーバへ無線送信する第７のステップを更に実行させることを特徴とする請求項２１記載の広告表示用プログラム。
【発明の詳細な説明】
【技術分野】
【０００１】
本発明は広告表示システム、広告表示方法、携帯通信端末及び広告表示用プログラムに係り、特に非接触ＩＣカードを搭載した携帯通信端末が発信する所望の情報要求に応じた情報を表示する広告表示システム、広告表示方法、携帯通信端末及び広告表示用プログラムに関する。
【背景技術】
【０００２】
バスや電車などの公共交通機関の停留所やホーム、車内、あるいはデパートその他の人との待ち合わせ場所などには、広告情報提示場所として、現在多数の紙媒体や液晶モニタ等による映像媒体により各種製品や情報の広告が提示されている。しかし、提示されている広告情報は、必ずしも全てがユーザニーズに合った情報とは限らない。そのため、広告情報提供者は、ユーザニーズに合った宣伝を行うことで広告対象の製品や情報を広める機会があるのに、その機会を逸している場合がある。
【０００３】
そこで、ユーザにより携帯端末を用いてユーザ自身が興味のある広告指定情報（ジャンル等）を送信させ、広告表示装置により広告指定情報に応じた広告情報の表示等を行う広告表示システムが提案されている（例えば、特許文献１、２、３参照）。特許文献１には、無線通信により現在位置情報を取得可能な携帯端末である移動端末装置と、広告配信サーバとが通信可能な広告配信システムが記載されており、この広告配信システムは以下の動作を行う。移動端末装置は、ユーザにより指定される希望広告ジャンル情報やユーザの特定情報を広告配信サーバに発信する一方、広告配信サーバにより配信される希望広告情報と自動選択した特定広告情報とを同時に受信して、希望広告情報を表示すると共に、次の希望広告情報を受信するまでの一定時間特定広告情報を表示する。
【０００４】
また、特許文献２には、携帯情報端末に対して、携帯情報端末のユーザである視聴者の嗜好属性情報（広告指定情報に相当）を要求する信号を送信する手段と、携帯情報端末から嗜好属性情報を受信する手段と、受信した嗜好属性情報に従い、広告データベースに登録されている広告コンテンツを選択して表示する表示手段とを備えた広告表示システムが開示されている。
【０００５】
更に、特許文献３には、インターネットを通じて互いに通信可能な情報受信端末と、情報提供サーバとを有して構成された情報提供システムが記載されており、この情報提供システムは以下のような動作を行う。ユーザが利用する端末である携帯通信端末等の情報受信端末は、ＣＰＵ、メモリ、記憶装置、タッチパネル、カードリーダ、ＣＣＤカメラ、通信装置を有しており、情報提供サーバからの情報提供サービスを利用する際に、ユーザが所有するＩＣカードをカードリーダにより識別情報を読み取らせると共に、ＣＣＤカメラによりＩＣカードの外観画像を撮像させ、その配置態様に基づいて生成したカテゴリ指定コードを上記の識別情報と共に情報提供サーバに送信する。情報提供サーバは、識別情報とカテゴリ指定コードとに基づいて、ユーザに提供すべき情報のカテゴリを特定し、ユーザが希望する情報を提供する。ここで、上記カテゴリ指定コードは、ユーザが情報提供を希望する広告指定情報とし、ユーザが希望する情報は、ユーザが情報提供を希望する広告情報であってよい。
【０００６】
【特許文献１】特開２００３−３２３５６９号公報（第６４段落〜第６６段落）
【特許文献２】特開２００４−０１３１９５号公報（第３９段落〜第４０段落、第５０段落）
【特許文献３】特開２００４−２２７２５３号公報（第１１０段落〜第１１４段落）
【発明の開示】
【発明が解決しようとする課題】
【０００７】
しかしながら、特許文献１記載の広告配信システムでは、移動端末装置が、ユーザにより指定される希望広告ジャンル情報を広告配信サーバに発信するために用いるジャンル選択を行うためのボタンが、ジャンル毎に分けられて複数設けられており、それらのボタンの中から希望のジャンルに対応したボタンを１個選択して押下し、また転送タッチボタンを押下する必要があるため、複数のジャンルの広告情報の配信を希望する場合は、ボタン操作をジャンル毎に毎回行わねばならず操作性の点で問題がある。また、特許文献１記載の広告配信システムでは、選択したジャンルの広告情報が固定的に表示されるだけであり、ユーザが同じジャンルでもより詳細な広告情報の提供を受けたい場合に、その要求に適応的に応えることができない。
【０００８】
また、特許文献２記載の広告表示システムでは、携帯情報端末が広告表示システムの近傍に位置する間、携帯情報端末から送信される嗜好属性情報を受信して、その嗜好属性情報に応じた広告コンテンツをずっと表示するようにしているため、視聴者（ユーザ）は他の広告情報を見ることができず、ユーザ操作により所望の広告情報の表示を動的に変化させることができない。
【０００９】
更に、特許文献３記載の情報提供システムでは、情報受信端末が情報提供サーバに送信するカテゴリ指定コードが、ユーザにより予め設定された金融、ニュース、天気予報、グルメ、旅行といったジャンル情報を指定するために用いられる情報であるため、情報受信端末が広告情報の提供を希望する場合、希望のジャンルの情報提供を受けた後、続いて同じジャンルのより詳細な広告情報の提供を受けたい場合に、その要求に適応的に応えることができない。また、特許文献３記載の情報提供システムは、情報受信端末と情報提供サーバとの間の通信回線が、インターネット等の電気通信回線であり、ＩＣカードを用いた非接触通信回線ではない。
【００１０】
本発明は以上の点に鑑みなされたもので、ユーザが携帯通信端末を操作することでユーザが希望する広告情報を表示させることができる広告表示システム、広告表示方法、携帯通信端末及び広告表示用プログラムを提供することを目的とする。
【００１１】
また、本発明の他の目的は、同じジャンルでも広告情報の表示内容をユーザ主導にて適応的に変更し得る広告表示システム、広告表示方法、携帯通信端末及び広告表示用プログラムを提供することにある。
【課題を解決するための手段】
【００１２】
上記の目的を達成するため、本発明の広告表示システムは、非接触通信の第１の送受信手段と、その第１の送受信手段を用いて所望の広告情報の表示の要求を送信する広告情報表示要求手段とを備える携帯通信端末と、広告情報提示場所に設置されており、携帯通信端末から送信された広告情報の表示の要求を受信する非接触通信の第２の送受信手段と、検索用広告情報を記憶する記憶手段と、第２の送受信手段により受信した広告情報の表示の要求に応じた広告情報を記憶手段に記憶されている検索用広告情報の中から検索して表示する検索表示手段とを備える表示装置とを有することを特徴とする。
【００１３】
また、上記の目的を達成するため、本発明の広告表示方法は、携帯通信端末から所望の広告情報の表示要求を非接触型通信により送信する第１のステップと、広告情報提示場所に設置された表示装置が広告情報の表示要求を非接触型通信により受信する第２のステップと、表示装置が受信した広告情報に応じた広告情報を記憶手段から検索して表示する第３のステップとを含むことを特徴とする。
【００１４】
また、上記の目的を達成するため、本発明の携帯通信端末は、非接触通信の送受信手段と、広告情報提示場所に設置された表示装置に対して、送受信手段を用いて所望の広告情報の表示の要求を送信する広告情報表示要求手段とを有することを特徴とする。
【００１５】
更に、上記の目的を達成するため、本発明の広告表示用プログラムは、広告情報提示場所に設置された表示装置のコンピュータに、携帯通信端末から送信された所望の広告情報の表示要求を非接触型通信の送受信手段により受信させる第１のステップと、受信した広告情報の表示要求に応じた広告情報を記憶手段から検索して表示する第２のステップとを実行させることを特徴とする。
【発明の効果】
【００１６】
本発明によれば、ユーザが携帯通信端末を操作することでユーザが希望する広告情報を表示させることができると共に、同じジャンルでも広告情報の表示内容をユーザ主導にて適応的に変更することができる。
【発明を実施するための最良の形態】
【００１７】
次に、本発明の実施形態について図面を参照して詳細に説明する。
【００１８】
図１は、本発明になる広告表示システムの一実施形態のシステム構成図を示す。本実施形態の広告表示システムは、携帯通信端末の一例としての携帯電話機１０と、ＩＣカードリーダ/ライタ内蔵の広告情報表示装置３０と、配信情報管理サーバ４０とから構成される。携帯電話機１０は、非接触型ＩＣカードと、配信される情報種類の設定可能な配信情報設定アプリケーションと、配信された情報を閲覧可能なアプリケーションとを搭載しており、また必要に応じてインターネットなどの通信ネットワークを介して通信可能な構成とされている。
【００１９】
広告情報表示装置３０は、ＩＣカードリーダ／ライタ３１を搭載しており、携帯電話機１０のＩＣカードと非接触型ＩＣ通信（図１に５１で模式的に示す）を行って情報の読み込み・書き込みを行う機能と、広告情報を記憶する機能と、広告情報を画面３２に表示したり、携帯電話機に配信する機能を有する。この広告情報表示装置３０は、バスや電車などの公共交通機関の停留所やホーム、車内、あるいはデパートその他の人との待ち合わせ場所などの広告情報提示場所における、携帯電話機１０の非接触型ＩＣカードとの間で非接触型ＩＣ通信が可能な所定位置（例えば、柱や壁など）に設置される。なお、本明細書における「広告情報」には、表示する情報自体に広告が含まれている情報のみならず、表示する情報自体に広告は含まれていないが、サービス提供事業者がサービスとして提供する情報も含まれる。
【００２０】
配信情報管理サーバ４０は、本実施形態の広告表示サービスを提供するサービス提供事業者により所有されている。この配信情報管理サーバ４０は、広告情報表示装置３０との間で無線通信（図１に５２で模式的に示す）を行う機能を有し、広告情報表示装置３０が表示する広告情報や携帯電話機１０に配信する広告情報を取得したり、広告情報表示装置３０へ送信する広告情報の管理や、実際に配信された広告情報の管理を行う。更に、配信情報管理サーバ４０は、広告情報表示装置３０が携帯電話機１０へ実際に配信した広告情報を収集・蓄積して解析し、配信した広告情報の広告主（企業や個人）毎の配信数を管理して、広告主に対して配信数に応じた従量課金などを行う機能も有する。
【００２１】
図２は、本発明になる携帯通信端末の一実施形態のブロック図を示す。この実施形態の携帯通信端末は、図１の携帯電話機１０であり、ＩＣカード１１を搭載しており、またインターネットとの通信可能な通信部１２を備えている。更に携帯電話機１０は、各ブロックを統括的に制御する制御部１３と、アンテナ１４を介して最寄りの基地局（図示せず）との間で無線通信する無線部１５と、送信信号及び受信信号の信号処理を行う信号処理部１６と、音声信号処理を行う音声処理部１７と、着信音や受話音声を発音するためのスピーカ１８と、送話音声を収音するマイクロフォン１９と、各種情報を表示する表示部２０と、各種情報を入力するためのテンキーやボタンからなる入力部２１と、電話帳データやプログラムを記憶している記憶部２２とからなる。この実施形態の携帯電話機１０は、記憶部２２の記憶プログラムに基づいて、制御部１３により前記した配信情報設定アプリケーションや配信された情報を閲覧可能なアプリケーションなどを実行させると共に、ＩＣカード１１を用いて広告情報表示装置３０との間で非接触型ＩＣ通信を行う点に特徴がある。
【００２２】
すなわち、携帯電話機１０は、そのユーザが配信情報設定アプリケーションにて設定した情報を、広告情報表示装置３０へ非接触型ＩＣ通信により情報伝達することにより、広告情報表示装置３０で表示される広告情報を設定可能とする。
【００２３】
次に、携帯電話機１０から広告情報表示装置３０に情報送信する場合の動作（第１の動作）について、図２のブロック図、図３のシステム構成図及び図４のシーケンス図を併せ参照して説明する。図３のシステム構成図は、図１に示した本発明の広告情報表示システムのシステム構成図と構成自体は同じであり、本実施形態の第１の動作を分かり易く説明するための詳細図である。
【００２４】
本実施形態の第１の動作は、携帯電話機１０を広告情報表示装置３０にかざして、広告情報表示装置３０に非接触型ＩＣ通信により情報送信することで、ユーザの好みに応じた広告情報を広告情報表示装置３０に配信・表示させる動作である。
【００２５】
まず、ユーザは、携帯電話機１０において、ユーザの好みの広告情報が配信されるように、図３に示すように、配信情報を設定することが可能な配信情報設定アプリケーションにより、表示部２０の画面２５に予め用意された広告情報の複数のジャンル（ここでは、「経済」、「旅行」、「金融」、「学校」、「スポーツ」、「保険」、「社会」、「音楽」）を表示させ、その中から図２の入力部２１によりユーザの好みの任意のジャンル（ここでは、「旅行」）を選択させてＩＣカード１１に書き込む（設定する）。
【００２６】
一方、配信情報管理サーバ４０は、予め広告情報の配信を希望する広告主（企業、団体、個人など）から広告情報を収集・蓄積しておき、広告情報表示装置３０を通して配信可能な状態を保っておく。
【００２７】
この状態において、携帯電話機１０を広告情報表示装置３０のＩＣカードリーダ／ライタ３１に近付け、公知の原理に基づきＩＣカード１１とＩＣカードリーダ／ライタ３１との間で、図３に５３で模式的に示すように、非接触型ＩＣ通信の送信操作を行うと、好みのジャンル「旅行」が設定された表示希望情報がＩＣカード１１からＩＣカードリーダ／ライタ３１へ送信される（図４のステップＳ１）。
【００２８】
広告情報表示装置３０は、上記の表示希望情報をＩＣカードリーダ／ライタ３１にて受信すると（図４のステップＳ２）、配信情報管理サーバ４０から定期的に入手して記憶媒体に記憶している最新の広告情報の中から、受信表示希望情報に対応した広告情報を検索してその画面３２に表示する（図４のステップＳ３）。これにより、携帯電話機１０のユーザは、情報閲覧アプリケーションを用いて自身の興味あるジャンル「旅行」に関する広告情報を、広告情報表示装置３０の画面３２に表示させて閲覧することができる。このようにして、本実施形態によれば、元々は固定した広告情報のみしか提示されていなかった広告情報提示場所に設置された広告情報表示装置３０により、携帯電話機１０のユーザが興味ある広告情報を展示・表示させることができる。
【００２９】
一方、広告情報表示装置３０は、画面３２に表示している検索した広告情報を無線通信５４にて配信情報管理サーバ４０へ送信する（図４のステップＳ４）。これにより、配信情報管理サーバ４０は、広告情報表示装置３０が画面３２に表示した広告情報を受信して、内部の記憶媒体に蓄積し、更に記憶媒体に蓄積している広告情報を解析する（図４のステップＳ５）。
【００３０】
そして、配信情報管理サーバ４０は、その解析結果により、広告情報の広告主（企業や個人）毎に、広告情報表示装置３０が画面３２に表示した広告情報の配信数（表示回数）を管理する。これにより、配信情報管理サーバ４０の所有者である本実施形態の広告表示サービスを提供するサービス提供事業者が、上記の配信数（表示回数）の結果に基づいて、広告主に対して配信数（表示回数）に応じた従量課金などを行い、情報配信インフラ提供側としての収入を得ることができる。
【００３１】
なお、広告情報表示装置３０は、広告情報提示場所に設置されて不特定多数の携帯電話機と非接触型ＩＣ通信が可能であるので、あるユーザ希望の広告情報を表示中に他のユーザから別の広告情報の表示要求を受信することがある。この場合は、広告情報表示装置３０は、割り込みにより新しく表示要求のあった広告情報を切換え表示する。
【００３２】
このように、本実施形態では携帯電話機１０を操作するユーザ主導となって広告情報表示装置３０に表示する広告情報を変更でき、ユーザ所望の広告情報の閲覧ができる。また、本実施形態では、情報配信側としても、情報配信の機会を広げることができる。また、ユーザの見たい広告情報を要求する入力デバイスが携帯電話機１０であるため、広告情報表示装置３０は入力デバイスを備える必要がなく、また、ＩＣカード通信によりユーザ登録情報を発信するため、通信費などのコストをかけることなく、広告情報表示装置３０は無料で表示する広告情報の取得ができる。
【００３３】
更に、本実施形態では、広告情報表示装置３０は紙媒体ではないため、資源節約にもつながる。更に、表示された広告情報の管理が配信情報管理サーバ４０により可能であるので、どういった広告情報がどれだけの配信数（表示回数）で表示されたか分かるため、その配信数（表示回数）の結果に基づいて、広告主に対して配信数（表示回数）に応じたサービス提供の代価を得ることができる。
【００３４】
次に、広告情報表示装置３０から携帯電話機１０に情報送信する場合の動作（第２の動作）について、図２のブロック図、図５のシステム構成図及び図６のシーケンス図を併せ参照して説明する。図５のシステム構成図は、図１に示した本発明の広告情報表示システムのシステム構成図と構成自体は同じであり、本実施形態の第２の動作を分かり易く説明するための詳細図である。
【００３５】
本実施形態の第２の動作は、広告情報表示装置３０において、携帯電話機１０からの表示情報要求に応じた広告情報を表示中に、携帯電話機１０を広告情報表示装置３０にかざして非接触型ＩＣ通信することで、広告情報表示装置３０に表示されている静止画や動画などの広告情報を、携帯電話機１０で再生可能な形式で配信・再生する動作である。
【００３６】
前述した第１の動作により、携帯電話機１０からの表示情報要求に応じた広告情報を広告情報表示装置３０が表示している状態において、その表示中の広告情報の携帯電話機１０への保存を携帯電話機１０のユーザが希望する場合、携帯電話機１０を広告情報表示装置３０のＩＣカードリーダ／ライタ３１に近付けて、公知の原理に基づきＩＣカード１１からＩＣカードリーダ／ライタ３１へ、図５に５５で模式的に示す非接触型ＩＣ通信にて、表示中の広告情報の配信要求を行う（図６のステップＳ１１）。
【００３７】
広告情報表示装置３０は、携帯電話機１０から送信された表示中の広告情報の配信要求を受信すると、図５に５６で模式的に示すように、表示中の広告情報をＩＣカードリーダ／ライタ３１から携帯電話機１０のＩＣカード１１へ非接触型ＩＣ通信にて配信（送信）する（図６のステップＳ１２）。携帯電話機１０は、広告情報表示装置３０から非接触型ＩＣ通信により配信された表示中の広告情報をＩＣカード１１で受信して保存する（図６のステップＳ１３）。
【００３８】
このＩＣカード１１で受信して保存された上記の広告情報は、携帯電話機１０において再生可能である。このため、携帯電話機１０のユーザは、携帯電話機１０を持っていれば、配信された広告情報を図２の表示部２０の画面にいつでも見たい時に表示させることが可能である。
【００３９】
更に、携帯電話機１０は、必要に応じてユーザにて行われる図２の入力部２１の操作により、制御部１３により通信部１２を介してインターネットに接続し、インターネットを介して上記の広告情報のより詳細な情報を取得することができる（図６のステップＳ１６）。これにより、携帯電話機１０のユーザは、興味のあるジャンルの広告情報について、より詳細な情報をいつでも表示部２０の画面に表示させることができる（同じジャンルの広告情報の表示内容を適応的に変更することができる。）。
【００４０】
一方、広告情報表示装置３０は、画面３２に表示している検索した広告情報を図５に模式的に示すように無線通信５７にて配信情報管理サーバ４０へ送信する（図６のステップＳ１４）。これにより、配信情報管理サーバ４０は、広告情報表示装置３０が画面３２に表示した広告情報を受信して、内部の記憶媒体に蓄積し、更に記憶媒体に蓄積している広告情報を解析する（図６のステップＳ１５）。
【００４１】
そして、配信情報管理サーバ４０は、その解析結果により、広告情報の広告主（企業や個人）毎に、広告情報表示装置３０が画面３２に表示中の広告情報の情報要求元への配信数を管理する。これにより、配信情報管理サーバ４０の所有者である本実施形態の広告表示サービスを提供するサービス提供事業者が、上記の配信数の結果に基づいて、広告主に対して配信数に応じた従量課金などを行い、情報配信インフラ提供側としての収入を得ることができる。このように、本実施形態では、表示中の広告情報の情報要求元である携帯電話機１０への配信数（応答返信数）の管理が配信情報管理サーバ４０により可能であるので、どういった広告情報がどれだけの数だけ情報要求元へ配信されたか分かるため、その配信数の結果に基づいて、広告主に対して配信数に応じたサービス提供の代価を得ることができる。
【００４２】
なお、本発明は上記の実施形態に限定されるものではなく、例えば、携帯電話機１０と広告情報表示装置３０との間の広告情報の送受信は、非接触型ＩＣ通信に限らず、ブルーツース(Bluetooth)などの公知の近距離無線通信などの他の非接触通信で行うことも可能である。なお、本明細書において非接触通信とは、非接触型ＩＣ通信や近距離無線通信をいい、通常の無線通信は含まないものとする。
【００４３】
また、本発明は広告情報表示装置３０が図４や図６のシーケンス図で示した各ステップＳ２〜Ｓ４、Ｓ１２及びＳ１４をコンピュータに実行させる広告表示用プログラムも包含するものである。
【図面の簡単な説明】
【００４４】
【図１】本発明の広告表示システムの一実施形態のシステム構成図である。
【図２】本発明の携帯通信端末の一実施形態のブロック図である。
【図３】本発明の広告表示システムの第１の動作説明用システム構成図である。
【図４】本発明の広告表示システムの第１の動作説明用シーケンス図である。
【図５】本発明の広告表示システムの第２の動作説明用システム構成図である。
【図６】本発明の広告表示システムの第２の動作説明用シーケンス図である。
【符号の説明】
【００４５】
１０  携帯電話機
１１  ＩＣカード
１２  通信部
１３  制御部
２０  表示部
２１  入力部
２２  記憶部
３０  広告情報表示装置
３１  ＩＣカードリーダ／ライタ
３２  画面
４０  配信情報管理サーバ
【図１】
2010060898.tif 000003
【図２】
2010060898.tif 000004
【図３】
2010060898.tif 000005
【図４】
2010060898.tif 000006
【図５】
2010060898.tif 000007
【図６】
2010060898.tif 000008